【手続補正書】
【提出日】令和2年12月24日(2020.12.24)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
所定の表示手段と、
特定の報知手段と、
遊技の進行を制御する主制御手段と、
演出を制御する副制御手段と
を備え、
前記主制御手段は、
抽選を行う抽選手段と、
演出グループ情報を導出するための特定テーブルと、
情報を記憶可能な記憶手段と
を備え、
前記抽選手段により決定され得る抽選結果として、第１抽選結果と第２抽選結果とを有し、
第１抽選結果が決定された遊技では、ストップスイッチが第１の操作態様で操作された場合に遊技価値として「Ｘ」を付与可能な図柄組合せを停止表示可能であり、
第２抽選結果が決定された遊技では、ストップスイッチが第２の操作態様で操作された場合に遊技価値として「Ｘ」を付与可能な図柄組合せを停止表示可能であり、
遊技区間として、通常区間と有利区間とを有し、
通常区間において第１抽選結果が決定された遊技では、特定のアドレスを基準アドレスとし、第１抽選結果に対応する情報をオフセット値として、前記特定テーブルから演出グループ情報を導出可能とし、導出した演出グループ情報を前記副制御手段へ送信可能に構成されており、
通常区間において第２抽選結果が決定された遊技では、前記特定のアドレスを基準アドレスとし、第２抽選結果に対応する情報をオフセット値として、前記特定テーブルから演出グループ情報を導出可能とし、導出した演出グループ情報を前記副制御手段へ送信可能に構成されており、
通常区間において第１抽選結果が決定された遊技で導出される演出グループ情報と、通常区間において第２抽選結果が決定された遊技で導出される演出グループ情報は、同一の情報であり、
通常区間において第１抽選結果が決定された遊技では、前記所定の表示手段によってストップスイッチの有利な操作態様を報知せず、
有利区間において第１抽選結果が決定された遊技では、前記所定の表示手段によってストップスイッチの有利な操作態様を報知する場合を有し、
第１抽選結果が決定され、ストップスイッチの有利な操作態様に関する情報を前記所定の表示手段に表示している状況にて、ストップスイッチの有利な操作態様に関する情報が示す第１停止操作のストップスイッチとは異なるストップスイッチが第１停止操作された場合でも、前記所定の表示手段に表示していたストップスイッチの有利な操作態様に関する情報は変化せず、
第１抽選結果が決定され、前記所定の表示手段によってストップスイッチの有利な操作態様を報知した遊技において、遊技価値として「Ｘ」を付与可能な図柄組合せが停止表示した場合には、前記特定の報知手段によって特定演出を実行可能とし、
第１抽選結果が決定され、前記所定の表示手段によってストップスイッチの有利な操作態様を報知した遊技において、遊技価値として「Ｙ（Ｙ＜Ｘ）」を付与可能な図柄組合せが停止表示した場合には、前記特定の報知手段によって前記特定演出を実行せず、
特別遊技状態の開始条件を満たした場合は、特別遊技状態を開始するように構成され、
有利区間における遊技の実行回数が所定回数となる遊技が実行されると、有利区間が終了するように構成され、
有利区間における遊技の実行回数が所定回数となる遊技が特別遊技状態で実行され、その遊技で特別遊技状態の終了条件を満たさなかった場合は、次の遊技は、通常区間であり、特別遊技状態であるように構成され、
有利区間における遊技の実行回数が所定回数となる遊技が実行されると、前記記憶手段に記憶されている所定の記憶領域の情報を初期化可能とし、
設定変更に伴い、前記記憶手段に記憶されている特定の記憶領域の情報を初期化可能とし、
所定の記憶領域は、特定の記憶領域に含まれる記憶領域である
ことを特徴とする回胴式遊技機。
【手続補正２】
【補正対象書類名】明細書
【補正対象項目名】０００５
【補正方法】変更
【補正の内容】
【０００５】
著しく射幸性が高まってしまわないことが望まれる。
【手続補正３】
【補正対象書類名】明細書
【補正対象項目名】０００６
【補正方法】変更
【補正の内容】
【０００６】
本態様に係る回胴式遊技機は、
複数のリールと、
複数のストップスイッチと、
所定の表示手段と、
特定の報知手段と、
遊技の進行を制御する主制御手段と、
演出を制御する副制御手段と
を備え、
前記主制御手段は、
抽選を行う抽選手段と、
演出グループ情報を導出するための特定テーブルと、
情報を記憶可能な記憶手段と
を備え、
前記抽選手段により決定され得る抽選結果として、第１抽選結果と第２抽選結果とを有し、
第１抽選結果が決定された遊技では、ストップスイッチが第１の操作態様で操作された場合に遊技価値として「Ｘ」を付与可能な図柄組合せを停止表示可能であり、
第２抽選結果が決定された遊技では、ストップスイッチが第２の操作態様で操作された場合に遊技価値として「Ｘ」を付与可能な図柄組合せを停止表示可能であり、
遊技区間として、通常区間と有利区間とを有し、
通常区間において第１抽選結果が決定された遊技では、特定のアドレスを基準アドレスとし、第１抽選結果に対応する情報をオフセット値として、前記特定テーブルから演出グループ情報を導出可能とし、導出した演出グループ情報を前記副制御手段へ送信可能に構成されており、
通常区間において第２抽選結果が決定された遊技では、前記特定のアドレスを基準アドレスとし、第２抽選結果に対応する情報をオフセット値として、前記特定テーブルから演出グループ情報を導出可能とし、導出した演出グループ情報を前記副制御手段へ送信可能に構成されており、
通常区間において第１抽選結果が決定された遊技で導出される演出グループ情報と、通常区間において第２抽選結果が決定された遊技で導出される演出グループ情報は、同一の情報であり、
通常区間において第１抽選結果が決定された遊技では、前記所定の表示手段によってストップスイッチの有利な操作態様を報知せず、
有利区間において第１抽選結果が決定された遊技では、前記所定の表示手段によってストップスイッチの有利な操作態様を報知する場合を有し、
第１抽選結果が決定され、ストップスイッチの有利な操作態様に関する情報を前記所定の表示手段に表示している状況にて、ストップスイッチの有利な操作態様に関する情報が示す第１停止操作のストップスイッチとは異なるストップスイッチが第１停止操作された場合でも、前記所定の表示手段に表示していたストップスイッチの有利な操作態様に関する情報は変化せず、
第１抽選結果が決定され、前記所定の表示手段によってストップスイッチの有利な操作態様を報知した遊技において、遊技価値として「Ｘ」を付与可能な図柄組合せが停止表示した場合には、前記特定の報知手段によって特定演出を実行可能とし、
第１抽選結果が決定され、前記所定の表示手段によってストップスイッチの有利な操作態様を報知した遊技において、遊技価値として「Ｙ（Ｙ＜Ｘ）」を付与可能な図柄組合せが停止表示した場合には、前記特定の報知手段によって前記特定演出を実行せず、
特別遊技状態の開始条件を満たした場合は、特別遊技状態を開始するように構成され、
有利区間における遊技の実行回数が所定回数となる遊技が実行されると、有利区間が終了するように構成され、
有利区間における遊技の実行回数が所定回数となる遊技が特別遊技状態で実行され、その遊技で特別遊技状態の終了条件を満たさなかった場合は、次の遊技は、通常区間であり、特別遊技状態であるように構成され、
有利区間における遊技の実行回数が所定回数となる遊技が実行されると、前記記憶手段に記憶されている所定の記憶領域の情報を初期化可能とし、
設定変更に伴い、前記記憶手段に記憶されている特定の記憶領域の情報を初期化可能とし、
所定の記憶領域は、特定の記憶領域に含まれる記憶領域である
ことを特徴とする。
【手続補正４】
【補正対象書類名】明細書
【補正対象項目名】０００７
【補正方法】変更
【補正の内容】
【０００７】
本態様に係る回胴式遊技機によれば、著しく射幸性が高まってしまわないことができる、という効果を有する。